(57)【要約】【課題】バッキングをユーザが交換する場合に、バッキングの設置の間違いを判別することができる。【解決手段】シートを測色するセンサを含む読取部と、前記読取部に対向する支持部とを有し、前記支持部に白色または黒色のバッキングを取り付けることが可能である測色装置であって、前記バッキングは長手方向において複数のピースに分割され、前記複数のピースが前記支持部に順に取り付けられるものであり、前記複数のピースの取り付け順序を規定する手段が設けられている。【選択図】図７
2013205066.tif 000002
【特許請求の範囲】
【請求項１】
シートを測色するセンサを含む読取部と、前記読取部に対向する支持部とを有し、前記支持部に白色または黒色のバッキングを取り付けることが可能である測色装置であって、
前記バッキングは長手方向において複数のピースに分割され、前記複数のピースが前記支持部に順に取り付けられるものであり、
前記複数のピースの取り付け順序を規定する手段が設けられていることを特徴とする測色装置。
【請求項２】
前記手段は、前記支持部に設けられた、前記ピースの取り付けを規制する規制部材を含み、
前記支持部の第１の位置にピースが取り付けられるまでは前記規制部材が前記第１の位置に隣り合う第２の位置にピースを取り付けることを規制し、前記第１の位置にピースが取り付けられると前記規制部材が移動して、前記第２の位置に前記ピースを取り付けることが可能となることを特徴とする、請求項１に記載の測色装置。
【請求項３】
前記支持部に最後に取り付けられるピースの位置において前記センサで測色を行い、バッキングの取り付け状態を判別することを特徴とする、請求項１または２に記載の測色装置。
【請求項４】
前記センサは前記長手方向に沿って移動することが可能であり、前記最後に取り付けられるピースは他のピースに比べて、前記センサの待機位置に最も近いことを特徴とする、請求項２に記載の測色装置。
【請求項５】
シートを測色するセンサを含む読取部と、前記読取部に対向する支持部とを有し、前記支持部に白色または黒色のバッキングを取り付けることが可能である測色装置であって、
前記バッキングは長手方向において複数のピースに分割され、前記複数のピースが前記支持部に順に取り付けられるものであり、  前記白色のバッキングは第１の白ピースおよび第２の白ピースを有し、且つ、前記第１の白ピースと前記第２の白ピースは、前記支持部に取り付けられた際に係合しあう端部形状を持ち、
前記黒色のバッキングは第１の黒ピースおよび第２の黒ピースを有し、且つ、前記第１の黒ピースと前記第２の黒ピースは、前記支持部に取り付けられた際に係合しあう端部形状を持ち、
前記第１の白ピースと前記第２の黒ピースの前記端部形状、ならびに、前記第１の黒ピースと前記第２の白ピースの前記端部形状は、前記支持部に取り付けられた際に隙間をもって干渉し合う形状であることを特徴とする測色装置。
【請求項６】
前記支持部の第１の位置と第２の位置にピースが順に取り付けられるものであり、前記第１の位置に取り付けられたピースの色と異なる色のピースを前記第２の位置に取り付けようとすると、前記干渉により前記第２の位置にピースが固定されないことを特徴とする請求項４に記載の測色装置。
【請求項７】
前記読取部は、前記センサを保持して移動するキャリッジと、前記センサで読み取る領域の両脇で前記バッキングに対してシートを押し付ける押圧板を含むユニットとなっており、且つ、前記ユニットは前記支持部に対して移動可能であり、
測色の際には、前記ユニットが支持部に近づいて、前記押圧板が前記バッキングに対してシートを押し付けることを特徴とする、請求項１から５のいずれか１項に記載の測色装置。
【請求項８】
画像を記録する記録部と、
前記記録部でシートに記録された測色のためのカラーパッチを測色する、請求項１から請求項６のいずれかに記載された測色装置を備えた記録装置。
【請求項９】
シートを測色するセンサを含む読取部と、前記読取部に対向する支持部とを有する測色装置に取り付けることが可能であるバッキングであって、
前記バッキングは、白色のバッキングおよび黒色のバッキングを有し、
前記白色のバッキングは第１の白ピースおよび第２の白ピースを有し、且つ、前記第１の白ピースと前記第２の白ピースは、前記支持部に取り付けられた際に係合しあう端部形状を持ち、
前記黒色のバッキングは第１の黒ピースおよび第２の黒ピースを有し、且つ、前記第１の黒ピースと前記第２の黒ピースは、前記支持部に取り付けられた際に係合しあう端部形状を持ち、
前記第１の白ピースと前記第２の黒ピースの前記端部形状、ならびに、前記第１の黒ピースと前記第２の白ピースの前記端部形状は、前記支持部に取り付けられた際に隙間をもって干渉し合う形状であることを特徴とするバッキング。
【発明の詳細な説明】
【技術分野】
【０００１】
本発明は、測色装置および記録装置に関し、特に、バッキングを用いて測色を行う測色装置および記録装置に関する。
【背景技術】
【０００２】
インクジェット記録装置には、色校正を行うために測色機能を備えたものがある。測色機能を備えた記録装置で測色を行うときには、カラーパッチをシートに記録し、測色器を使用してカラーパッチの色情報を測定する。そして、その測色データを基にモニタ上の記録データの色と比較し、次の記録に比較結果を反映させて、所望の色再現を得ることができる。
【０００３】
測色器には高精度の測色を行うために、シートの測色する面の裏面側にバッキングと呼ばれる下敷きを配置することがある。バッキングを配置することにより、カラーパッチを高精度に測色することができ、その結果、色情報を正確に測色することができる。例えば、バッキングを配置する排紙ガイドの色がシートに透けて写り、カラーパッチの色情報を正確に測色することができないことを抑制することができる。
【０００４】
バッキングは、ＩＳＯ規格によって白バッキングと黒バッキングの色が規定されている。このようなバッキングは、取り付け位置に対して着脱することができる。したがって、異なる色の複数のバッキングをユーザが交換しながら使用することができる。
【０００５】
また、大判サイズのシートに対応したバッキングを使用することがある。大判サイズのシートに対応した白色および黒色のそれぞれのバッキングは、シートの幅方向に分割し複数個備えていることがある。バッキングを複数に分割することにより、使用していない色味のバッキングの保管等の取り扱い性を向上させたり、バッキングの反りやねじれを軽減させたりすることができる。
【０００６】
特許文献１には、測色器を用いてバッキングを測色し、取り付けているバッキングの色を判別する手法が開示されている。
【先行技術文献】
【特許文献】
【０００７】
【特許文献１】特開２００８−２７５５８７号公報
【発明の概要】
【発明が解決しようとする課題】
【０００８】
使用するシートの幅が大きくなると、測色する幅が大きくなるのでバッキングも大型化する。そのため、長手方向に複数のピースに分割して取り付ける方法が望まれる。
【０００９】
この場合、ユーザが誤って白のバッキングのピースと黒のバッキングのピースが混在して取り付けてしまう畏れ、あるいはすべてのピースを取り付けずない畏れがある。このような状態でカラーパッチの測色を開始すると、測色不良となってしまう。
【００１０】
本発明は以上の点を鑑みてなされたものであり、バッキングをユーザが交換する場合に、バッキングの取り付け誤りが起きないようにした測色装置および記録装置を提供することを目的とする。
【課題を解決するための手段】
【００１１】
そのために本発明では、シートを測色するセンサを含む読取部と、前記読取部に対向する支持部とを有し、前記支持部に白色または黒色のバッキングを取り付けることが可能である測色装置であって、前記バッキングは長手方向において複数のピースに分割され、前記複数のピースが前記支持部に順に取り付けられるものであり、前記複数のピースの取り付け順序を規定する手段が設けられていることを特徴とする。
【発明の効果】
【００１２】
本発明によれば、バッキングをユーザが交換する場合に、バッキングの取り付け誤りが起きないようにした、使い勝手に優れた測色装置および記録装置が実現する。
【図面の簡単な説明】
【００１３】
【図１】第１の実施形態の測色装置を備えた記録装置を模式的に示す断面図である。
【図２】測色ユニットが排紙ガイドから退避した状態を示す図である。
【図３】測色ユニットが測色を行っている状態を示す図である。
【図４】バッキングが取り付けられた排紙ガイドを示す図である。
【図５】バッキングが取り付けられていない排紙ガイドの図である。
【図６】排紙ガイドを示す斜視図である。
【図７】バッキングが取り付けられていない排紙ガイドの図である。
【図８】第２バッキングのみが取り付けられた排紙ガイドの図である。
【図９】全てのバッキングが取り付けられた排紙ガイドの図である。
【図１０】バッキングを固定するための固定部を示す拡大図である。
【図１１】インクジェット記録装置の制御部を示すブロック図である。
【図１２】バッキング取り付けの判別手順のフローチャートである。
【図１３】第２の実施形態の排紙ガイドを示す拡大図である。
【図１４】白色と黒色のバッキングの形状を示す斜視図である。
【図１５】バッキングおよび排紙ガイドを示す斜視図である。
【図１６】バッキングと排紙ガイドを示す他の形態の斜視図である。
【図１７】第３の実施形態のバッキングが取り付けられていない排紙ガイドの図である。
【図１８】第２バッキングが取り付けられた排紙ガイドの図である。
【図１９】第４の実施形態のバッキングが取り付けられていない排紙ガイドの図である。
【図２０】第２バッキングが取り付けられた排紙ガイドの図である。
【発明を実施するための形態】
【００１４】
以下に図面を参照して本発明の実施形態を詳細に説明する。
【００１５】
（第１の実施形態）
図１は、本実施形態の測色装置を備えたインクジェット記録装置を模式的に示す断面図である。シートをロール状に巻いたロール紙１００は、インクジェット記録装置１に保持されている。ロール紙１００は、外ガイド６および内ガイド７によって形成されるシート搬送路を通り下流に送られる。ロール紙１００の先端が、搬送ローラ１０とピンチローラ１１とのニップ部まで到達すると、ロール紙１００は、搬送ローラ１０とピンチローラ１１とで挟持され、画像記録部の記録ヘッド２に対向する位置に配置されたプラテン１２上へ搬送される。
【００１６】
画像記録部に搬送されたロール紙１００には、記録ヘッド２により記録が行われる。画像記録部は、記録ヘッド２と、記録ヘッド２を搭載するキャリッジ３と、記録ヘッド２に対向して配置されたプラテン１２とによって構成されている。記録ヘッド２が搭載されたキャリッジ３は、キャリッジシャフト４と不図示のガイドレールに沿って摺動可能に支持されている。キャリッジ３の往または復走査による１ライン分の走査により記録を行うと、ロール紙１００を搬送ローラ１０とピンチローラ１１とによりキャリッジの走査方向に直交する搬送方向に所定ピッチ送り、キャリッジ３を再び移動させて次のラインの記録を行う。ロール紙１００の記録済み部は、排紙ガイド１４へ向けて搬送され、これを繰り返してページ全体に画像が記録される。
【００１７】
画像の記録が終了すると、ロール紙１００の記録済み部の測色領域は搬送ローラ１０とピンチローラ１１とにより所定の測色位置まで搬送される。その後、測色装置２０によってロール紙１００の記録済み部の測色領域の測色が行われる。全ての測色領域の測色が終了すると、ロール紙１００は所定の切断位置まで搬送され、カッタ５によって切断される。切断されたロール紙１００は、排紙ガイド１４から不図示の排紙バスケットに排出される。
【００１８】
図２は、本実施形態の測色装置の測色ユニットが排紙ガイド１４から退避した状態を模式的に示す断面図である。また、図３は、本実施形態の測色装置の測色ユニットが測色を行っている状態を模式的に示す断面図である。
【００１９】
測色装置２０を構成する測色ユニット３０は、測色センサ２１、測色キャリッジ２２、摺動部材２３、押圧板２４、摺動シャフト２５、乾燥ダクト２７、送風ファン２８および色校正板２９を有している。測色ユニット３０は以上の部材を１つのユニットとして内蔵し、バッキングの支持部である排紙ガイド１４に対して移動可能な読取部を構成している。
【００２０】
測色センサ２１は、測色キャリッジ２２によって保持されており、測定面となるカラーパッチ（カラーパターン）に対して光を照射し、カラーパッチに反射して戻ってきた光に基づいて色情報を測定する。
【００２１】
測色センサ２１は、４００〜７００ｎｍの波長帯域にピーク強度を有する波長特性の第１光源と、３７０〜４１０ｎｍの波長帯域にピーク強度を有する波長特性の第２光源の２種類の光源を有している。測色センサ２１はさらに１つまたは複数の受光素子も有している。
【００２２】
第２光源は第１光源に対して４５度の角度で測定面を照射する。測色キャリッジ２２は、底面に設けられた摺動部材２３を介して押圧板２４に接しており、シート幅方向に連通した摺動シャフト２５と押圧板２４に沿って摺動可能に支持されている。測色キャリッジ２２を摺動すると、押圧板２４の押圧面２４ａと測色センサ２１の姿勢精度は、押圧板２４、摺動部材２３、測色キャリッジ２２および摺動シャフト２５により維持される。押圧板２４は、引掛け部材２６を介して所定ストロークを有した状態で取り付けられている。測色センサ２１の搬送方向下流側にはシート幅方向に連通した乾燥ダクト２７と、送風ファン２８が設けられている。送風ファン２８により発生させた風を乾燥ダクト２７に送り込み、乾燥ダクト２７から吹き出した風をカラーパッチが記録されたロール紙１００の表面に向けて一様にあてることにより、カラーパッチの乾燥を促進している。
【００２３】
押圧板２４の直下には搬送方向下流側が低くなるように傾いた排紙ガイド１４が設けられている。排紙ガイド１４には、測色キャリッジ２２の移動方向に沿って長手の形状を有するバッキング４１が取り付けられている。バッキング４１は測色動作中に測色センサ２１および押圧板２４と対向する位置に設けられており、排紙ガイド１４に取り外し可能に取り付けられる。つまり、排紙ガイド１４はバッキングが着脱可能に取り付けられて、バッキングを支持する支持部となっている。
【００２４】
測色ユニット３０が図２に示す退避位置にある場合、ロール紙１００は押圧面２４ａと排紙ガイド１４との間の開口部Ｈを通り搬送される。測色ユニット３０は、測色ユニット駆動手段３１により測色センサ２１の搬送方向上流側に設けられた測色ユニット軸３２を中心に回動することによって、押圧面２４ａと排紙ガイド１４の間の開口部Ｈを調整可能としている。測色動作時には、測色ユニット駆動手段３１により測色ユニット３０を回動させ、図３に示す押圧位置まで移動させることで、センサで読み取る領域の両脇を押圧面２４ａによりロール紙１００を押圧する。測色センサ２１が押圧板２４上をシート幅方向に走査することにより、押圧板２４に設けられたスリット２４ｂを介してカラーパッチを測色することができる。押圧板２４のシート幅方向端部には色校正板２９が設けられている。色校正板２９は測色センサ２１の経時的変化に対して校正するためのものであり、測色動作中にも測色センサ２１は頻繁に色校正板２９と対向する位置に移動して色校正を行う。このように、測色ユニット３０が回動動作をし、少なくとも図３に示す押圧位置と図２に示す退避位置とを設けることにより、ロール紙１００の搬送経路を十分に確保することができる。
【００２５】
図４は、本実施形態のバッキングが取り付けられた状態の排紙ガイドを示す斜視図である。また、図５は、本実施形態のバッキングが取り付けられていない状態の排紙ガイドを示す斜視図である。
【００２６】
バッキング４１は、ロール紙１００の測色するカラーパッチの裏面側に敷くことにより、カラーパッチを高精度に測色するためのものであり、ＩＳＯ規格により白色と黒色の色味が規定されている。そのため、バッキング４１は、白色と黒色の２種類を有しており、排紙ガイド１４に対して付け替えることで所望の色味のバッキング４１を使用することができる。
【００２７】
インクジェット記録装置１において、ロール紙１００の幅方向のサイズは、２４インチ以上という大判サイズのシートが使用される。そのため、使用していない色味のバッキング４１の保管等の取り扱い性を向上させたり、バッキング４１の反りやねじれを軽減させたりする目的で、白色および黒色のそれぞれのバッキング４１は、ロール紙の幅方向に分割されている。つまり、白色および黒色のバッキング４１はそれぞれ複数個のピースに分割されている。そして、複数の白色バッキング同士、または黒色バッキング同士をロール紙の幅方向に一列に並べた状態で排紙ガイド１４に取り付けて使用する。
【００２８】
白色のバッキング４１は、第１バッキング４１ａ（第１の白ピース）と第２バッキング４１ｂ（第２の白ピース）の２つのピースに、長手方向において２分割されている。同様に、黒色のバッキング４１は、第１バッキング４１ａ（第１の黒ピース）と第２バッキング４１ｂ（第２の黒ピース）の２つのピースに、長手方向において２分割されている。排紙ガイド１４は、第１バッキング４１ａが取り付けられる第１取り付け部１４１ａと第２バッキング４１ｂが取り付けられる第２取り付け部１４１ｂとを含んでいる。
【００２９】
測色を行わない時の測色センサ２１は、ロール紙１００の通紙領域外の待機位置Ｗで待機している。そして、本実施形態では、測色センサ２１の待機位置Ｗから近い側を第１取り付け部１４１ａとし、待機位置Ｗから遠い側を第２取り付け部１４１ｂとする。
【００３０】
バッキング４１は、バッキング４１の種類を判別するためのバッキング色判別部４１１を有している。バッキング色判別部４１１は、第１バッキング４１ａの測色センサ２１の待機位置Ｗに対して近い位置に設けており、白色および黒色それぞれのＩＳＯ規格に基づいた色であるバッキング４１自体を直接測色するようにしている。また、バッキング有無判別部１４２は排紙ガイド１４に設けられており、バッキング４１ａが取り付けられていない状態において、バッキング４１ａのバッキング色判別部４１１に該当する位置に露出し、白または黒以外の色の判別色を有している。
【００３１】
なお、本実施形態では、バッキング有無判別部１４２は、排紙ガイド１４とは別部材となる所定の判別色を有するパッチを排紙ガイド１４に貼り付けることにより構成されており、判別色には青色を設定している。このように、バッキングの種類の判別は、測色センサ２１の待機位置Ｗから近い場所にあるバッキング色判別部４１１のみを測色して行うため、測色センサ２１の移動時間を短縮でき、バッキング４１の取り付け状態の判別に要する時間を短縮することができる。
【００３２】
次に、本実施形態のバッキングの取り付け部の構成について詳細に説明をする。
【００３３】
図６は、本実施形態の排紙ガイドを示す斜視図である。バッキング４１は、脚部４１２を有している。バッキング４１の取り付け時には、脚部４１２を排紙ガイド１４の溝部１４３に差し込む。そして、バッキング４１を図６に示す矢印Ｂ方向に移動（スライド）させることによって取り付けを行う。
【００３４】
図７は、本実施形態のバッキングが取り付けられていない状態の排紙ガイドを示す拡大図である。また、図８は、本実施形態の第２バッキングのみが取り付けられた状態の排紙ガイドを示す拡大図である。さらに、図９は、本実施形態の全てのバッキングが取り付けられた状態の排紙ガイドを示す拡大図である。
【００３５】
排紙ガイド１４は、規制部材１４４が備えられている。排紙ガイド１４にバッキング４１が取り付けられていない状態では、規制部材１４４はバネ１４５によりＡ方向に付勢されている。そのため、規制部材１４４は第１取り付け部１４１ａの溝部１４３ａを塞ぎ、また第２取り付け部１４１ｂの溝部１４３ｂを開放する。したがって、規制部材１４４は、第１取り付け部１４１ａに対して、バッキング４１の脚部４１２を差し込むことができない第２の位置に配置され、第２取り付け部１４１ｂに対して、バッキング４１の脚部４１２を差し込むことができる第１の位置に配置される。これにより、バッキング４１は、排紙ガイド１４の第１取り付け部１４１ａへの取り付けを規制し、第２取り付け部１４１ｂにのみ取り付けることができる状態となる。
【００３６】
排紙ガイド１４の第２取り付け部１４１ｂに第２バッキング４１ｂが取り付けられると、第２バッキング４１ｂは、Ｂ方向へ移動（スライド）する。そして、第２のバッキング４１ｂの移動と共に、規制部材１４４は、脚部４１２ｂによってＢ方向に移動させられる。そのため、規制部材１４４は、第１取り付け部１４１ａの溝部１４３ａを開放し、また、第２取り付け部１４１ｂの溝部１４３ｂを塞ぐ状態となる。したがって、規制部材１４４は、第１取り付け部１４１ａに対して、バッキング４１の脚部４１２を差し込むことができる第１の位置に配置される。これにより、バッキング４１は、排紙ガイド１４の第１取り付け部１４１ａにのみ取り付けることができる。
【００３７】
図１０は、本実施形態のバッキングを固定するための固定部を示す拡大図である。本実施形態では、規制部材１４４をＢ方向に移動（スライド）すると、バッキングは、排紙ガイドの規制部材が配置された方向に対向する端部に配置された固定部により固定される。
【００３８】
排紙ガイド１４の第１取り付け部１４１ａの溝部１４３ａに第１バッキング４１ａの脚部４１２ａを差し込み、第１バッキング４１ａをＢ方向に移動させる。すると、第１バッキング４１ａの突起４１３ａが排紙ガイド１４の固定部１４６ａに係合する。突起４１３ａと固定部１４６ａの関係は、第１バッキング４１ａの移動方向に対して、突起４１３ａが固定部１４６ａの溝部に嵌まり込む状態であり、これにより、第１バッキング４１ａのＡ方向およびＢ方向への移動を規制することができる。
【００３９】
このように、規制部材１４４を設けることにより、バッキング４１を取り付ける順序を規定することができる。つまり、第２バッキング４１ｂが取り付いていないと第１バッキング４１ａを取り付けることができない。このため、第１バッキング４１ａが取り付いている状態において第２バッキング４１ｂの取り付け忘れ（取り付け不良）を防止することができる。
【００４０】
図１１は、本実施形態のインクジェット記録装置の制御部を示すブロック図である。制御部２００は、キャリッジモータ６１、搬送モータ６２、測色ユニット駆動モータ５１、測色キャリッジモータ５２および測色センサ２１の制御を実現するためのものである。制御部２００は、不図示のＣＰＵ、ＲＯＭ、ＲＡＭおよびモータドライバ等を有しており、主制御部２１０、測色ユニット駆動制御部２２０、測色キャリッジ駆動制御部２３０および測色センサ制御部２４０から構成されている。主制御部２１０は、測色ユニット駆動制御部２２０、測色キャリッジ駆動制御部２３０および測色センサ制御部２４０に対して指令を与える。測色ユニット駆動制御部２２０は、測色ユニット駆動モータ５１を制御することにより、測色ユニット３０の位置制御を行う。測色キャリッジ駆動制御部２３０は、測色キャリッジモータ５２を制御することにより、測色センサ２１の位置制御を行う。測色センサ制御部２４０は、測色センサ２１を制御することにより、所定位置の色情報を測定し、その結果を主制御部２１０にフィードバックする。
【００４１】
図１２は、本実施形態の測色装置のバッキング取り付け状態の判別手順を示すフローチャートである。
【００４２】
バッキング４１の取り付け状態の判別が実行されると、測色ユニット３０を測色ユニット駆動手段３１により図３に示す位置まで移動させる（ステップＳ０１）。そして、測色センサ２１を、最後に取り付けた第１バッキング４１ａのバッキング色判別部４１１まで移動させる（ステップＳ０２）。その後、測色センサ２１によりバッキング色判別部４１１を測色する（ステップＳ０３）。このとき、測色センサ２１は第１光源と第２光源の両方を発光させる第１の条件にて測定する。
【００４３】
なお、バッキング４１が排紙ガイド１４に取り付けられている場合は、バッキング４１自体を直接測色することになるため、白色のバッキング４１が取り付けられていれば白色、黒色のバッキング４１が取り付けられていれば黒色の測色結果が得られる。また、バッキング４１が排紙ガイド１４に取り付けられていなければ、ＣＩＥＬ*ａ*ｂ*の表色系におけるｂ*が負の値となる青色の測色結果が得られる。
【００４４】
バッキング色判別部４１１を測色して（ステップＳ０３）得られた測色結果において、ＣＩＥＬ*ａ*ｂ*の表色系におけるｂ*の値が閾値以下の場合、バッキング４１が取り付いていないと判別する。一方、ｂ＊の値が閾値以上の場合、バッキング４１が取り付いていると判別する（ステップＳ０４）。なお、ｂ*の閾値については実験値から決定しており、本実施形態では「−１５」である。バッキング４１が取り付いていないと判別すると、バッキング４１の取り付けを促す（ステップＳ０５）。バッキング色判別部４１１を測色して（ステップＳ０３）得られた測色結果において、ＣＩＥＬ*ａ*ｂ*の表色系におけるＬ*の値が閾値以下の場合、黒色のバッキング４１が取り付けられていると判別する。一方、Ｌ＊の値が閾値以上の場合、白色のバッキング４１が取り付けられていると判別する（ステップＳ０６）。なお、Ｌ*の閾値についても実験値から決定しており、本実施形態では「６０」である。
【００４５】
黒色のバッキング４１が取り付けられていると判別すると、黒色のバッキング４１を使用して測色するカラーパッチをロール紙１００に記録する（ステップＳ０７）。白色のバッキング４１が取り付けられていると判別すると、白色のバッキング４１を使用して測色するカラーパッチをロール紙１００に記録する（ステップＳ０８）。このバッキング取り付け状態の判別は、測色動作を伴う画像記録前やバッキング４１の交換作業後に実行される。
【００４６】
以上説明したように、規制部材１４４を設けることにより、第２バッキング４１ｂが取り付けられていない場合、第２バッキング４１ａを取り付けることができない。すなわち、バッキングの取り付け順序を規制している。したがって、第１バッキング４１ａが取り付けられている状態では、第２バッキング４１ｂも取り付けられている状態である。
【００４７】
また、測色センサを用いて最後に取り付ける第１バッキング４１ａの取り付け状態のみを判別している。したがって、バッキング４１の全体の色を１つのバッキングのみで判別することができるため、バッキング４１の色の判別時間を短縮し、また、第２バッキング４１ｂの取り付け忘れを防止することができる。
【００４８】
なお、本実施形態では、バッキング４１を２分割にしているが、本発明のバッキングは、２分割以上の複数に分割したものであってもよい。その場合、規制部材１４４も複数配置され、バッキング４１の取り付け順序を限定することができる。
【００４９】
また、バッキング４１をスライドさせて排紙ガイド１４に取り付けているが、本発明の取り付け方法は、このような取り付け方法に限定するものではない。例えば、バッキング４１にマグネットを設けマグネットの磁力により取り付けてもよい。その場合、バッキング４１に突起部材を設け、かつ排紙ガイド１４に突起部材が差し込まれる穴部を設ける。規制部材１４４は穴部に配置し、突起部材が穴部に差し込まれることで、規制部材１４４をバッキング４１の取り付け動作に連動して移動させることができる。
【００５０】
なお、本実施形態では、バッキングを２分割し、２のバッキングに対して１の規制部材により排紙ガイドにバッキングを設置している。しかしながら、本発明では、バッキングを２以上の数に分割してもよくその場合の規制部材の数は、バッキングの数より１少ない数である。
【００５１】
（第２の実施形態）
第１の実施形態では、バッキングの取り付け順序を規制することによって、バッキングが全て排紙ガイドに取り付けられているか否かを判定するものであった。しかしながら、本発明のバッキングの設置の間違いの是正は、取り付けられていないバッキングを判別するものに限定するものではない。本実施形態では、複数のバッキングを排紙ガイドに取り付けることができない構成とすることによって、バッキングの設置間違いを是正する。
【００５２】
図１３は、本実施形態の排紙ガイド１４を示す拡大図である。第１の実施形態と比較すると、第１の実施形態では、溝部１４３がバッキングの脚部４１２の取り付け位置１箇所にあったのが、本実施形態では、箇所存在する。そのため、脚部４１２を排紙ガイド１４へ取り付け時、矢印で示すＡ方向およびＢ方向のどちらにもスライドすることができる。したがって、複数のバッキングを任意の順序で取り付けることができる。
【００５３】
図１４は、本実施形態の白色と黒色のバッキングの形状を示す斜視図である。白色のバッキング４１ｃ４１ｄは黒色のバッキングである。バッキング４１の端部に、バッキング４１の色を判別するための判別形状４１４ｃおよび４１４ｄが設けられている。判別形状４１４ｃおよび４１４ｄは、バッキングの色によって異なっている。一方、バッキングの両端部の形状が同じ色毎に同じ形状である。同じ色のバッキングを隣接させた場合、判別形状４１４ｃおよび４１４ｄはそれぞれの凹凸形状が入り込むことで、正しい位置に取り付けられる。また、色の異なるバッキングを隣接させた場合、両端部の形状同士がそれぞれ干渉し、正しい位置に取り付けることができない。
【００５４】
図１５は、本実施形態のバッキング４１および排紙ガイド１４を示す斜視図である。図１５（ａ）は、同一色のバッキング４１を並べて配置した状態を示す図であり、図１５（ｂ）は、異なる色のバッキング４１を並べて配置した状態を示す図である。なお、排紙ガイド１４は、固定部１４６のみ図示されている。
【００５５】
図１５（ａ）に示すバッキングの組み合わせでは、判別形状４１４ｃおよび４１４ｄが隣り合うバッキング４１ｃおよび４１ｄにそれぞれ入り込んでいる。また、それぞれのバッキングに設けられた、隣接した突起４１３ｃおよび４１３ｄとの距離Ｌ１は、隣接した固定部１４６の距離Ｌ２と等しくなるので、いずれのバッキングも固定部１４６によって固定される。
【００５６】
一方、図１５（ｂ）に示すバッキングの組み合わせでは、判別形状４１４ｃおよび４１４ｄが隣り合うバッキング４１ｃおよび４１ｄとそれぞれ干渉する。そのため、隣接した突起４１３ｃおよび４１３ｄの距離Ｌ１は、隣接した固定部１４６の距離Ｌ２よりも長くなり、バッキングが固定できない。
【００５７】
したがって、以上説明した構成によって、複数色のバッキングを混在して取り付けられることを防止している。
【００５８】
図１６は、本実施形態のバッキング４１および排紙ガイド１４を示す他の形態の斜視図である。上述した形態では、異なる色のバッキング４１がそれぞれ別々の部品で構成される形態を説明した。しかしながら、図１６に示すように同一部品に異なる色のバッキングを備え、排紙ガイド１４に対する取り付け角度や取り付け位置を切り替えることで、測色センサ２１に対向するバッキング４１の色を切り替えることができる。
【００５９】
本実施形態の他の形態では、他のバッキング４１を１８０°回転させることで、測色センサ２１と対向するバッキング４１の色を切り替えている。
【００６０】
なお、バッキング４１の表裏を反転する構成や、バッキング４１を搬送方向に移動して取り付けることで測色センサ２１に対向するバッキング４１の種類（色）を切り替えてもよい。
【００６１】
また、バッキング４１をスライドすることにより排紙ガイド１４に取り付けているが、スライドする必要はなく、バッキング４１にマグネットを設けマグネットの磁力により取り付けてもよい。
【００６２】
（第３の実施形態）
第１の実施形態では、バッキングの取り付け順序を規制することによって、バッキングの取り付け忘れを是正し、バッキングの設置の間違いを抑制した。また、第２の実施形態では、バッキングの色が複数混在して取り付けられることを是正して、バッキングの設置間違いを抑制した。本実施形態では、バッキングの取り付け順序を規制しつつバッキングの色が複数混在して取り付けられることを是正するものである。
【００６３】
図１７は、本実施形態のバッキングが取り付けられていない状態の排紙ガイドを示す拡大図である。また、図１８は、本実施形態の第２バッキングのみが取り付けられた状態の排紙ガイドを示す拡大図である。
【００６４】
白色の第１バッキング４１ｅ（第１の白ピース）および白色の第２バッキング４１ｆ（第２の白ピース）は、同形状である。これは黒色のバッキングのいても同様である。ただし、白ピースと黒ピースとでは端部形状が異なり、排紙ガイドに取り付けられた際に隙間をもって干渉し合う形状となっている。
【００６５】
排紙ガイド１４にバッキングが取り付けられていない状態では、排紙ガイド１４の規制部材１４４は溝部１４３ａを塞ぐ位置にある。そのため、第１バッキングは取り付けられない。一方、溝部１４３ｂには第２バッキングを取り付けることができる。
【００６６】
白色の第２バッキング４１ｆの端部に備えた判別形状４１４ｆは、同一色である白色の第１バッキング４１ｅの判別形状４１４ｅと一致する。一方、異なる色である黒色の第１バッキング４１ｇの判別形状４１４ｇとは一致しない。そのため、黒色の第１バッキング４１ｇを排紙ガイド１４に取り付けることはできない。
【００６７】
本実施形態の特徴を一般化すると、白色のバッキングは第１の白ピースおよび第２の白ピースを有し、且つ、第１の白ピースと第２の白ピースは、支持部に取り付けられた際に係合しあう端部形状を持つ。また、黒色のバッキングは第１の黒ピースおよび第２の黒ピースを有し、且つ、第１の黒ピースと第２の黒ピースは、支持部に取り付けられた際に係合しあう端部形状を持つ。そして、第１の白ピースと第２の黒ピースの端部形状、ならびに、第１の黒ピースと第２の白ピースの端部形状は、支持部に取り付けられた際に隙間をもって干渉し合う形状となっている。
【００６８】
取り付けられたバッキング４１は、第１の実施形態で説明したフローチャートによってバッキング４１の組み忘れ（組み立て未完成）、および種類を判別する。
【００６９】
このように、バッキング４１の取り付け順序を限定したために、測色センサ２１にて第１バッキング４１ｅの有無を確認することで、第２バッキング４１ｆの取り付け忘れを確認出来る。さらに、複数色のバッキングを混在して取り付けられないため、測色センサ２１によって第１バッキング４１ｅを確認すれば、第２バッキング４１ｆも同一の色であることが確認することができる。よって、バッキングの取り付け忘れに必要となる時間を短縮することができ、さらに複数の色のバッキングを混在して取り付けられることを防止することができる。
【００７０】
以上、異なる色のバッキング４１がそれぞれ異なる部品で構成される例を説明したが、これには限定されない。図１６に示すように、同一部品に異なる色のバッキングを備え、排紙ガイド１４に対しての取り付け角度や取り付け位置を切り替えることで、測色センサ２１に対向するバッキング４１の色を切り替えてもよい。
【００７１】
図１９は、本実施形態のバッキングが取り付けられていない状態の排紙ガイドを示す拡大図である。また、図２０は、本実施形態の第２バッキングのみが取り付けられた状態の排紙ガイドを示す拡大図である。なお、図１９（ａ）および図２０（ａ）は、白色のバッキング４１ｈおよび４１ｊが取り付けられた状態を示し、図１９（ｂ）および図２０（ｂ）は、黒色のバッキング４１ｉおよび４１ｋが取り付けられた状態を示している。
【００７２】
図１９（ａ）において、白色の第２バッキング４１ｈには、第２バッキングの取り付け動作に連動して規制部材１４４を動かす第１の脚部４５ｈの他に、第２の脚部４６ｈを備えている。同様に、図１９（ｂ）において、黒色のバッキング４１ｉには、第１の脚部４５ｉ、第２の脚部４６ｉを備えている。第２の脚部４６ｈおよび４６ｉの幅は、排紙ガイド１４に設けられた第２の溝部４８の幅とそれぞれ略同一である。一方、第１の脚部４５ｈおよび４５ｉの幅は異なり、バッキング４１の色に応じて、規制部材１４４との隙間Ｇが変わる。
【００７３】
図２０（ａ）を用いて、白色の第２バッキング４１ｈが取り付けられた状態を説明する。白色の第２バッキング４１ｈの取り付け時、規制部材１４４はバッキング４１のスライド量から隙間Ｇを引いた長さが図の矢印で示したＢ方向に移動する。その結果、第３の溝部４９に規制部材１４４の干渉形状５０ｊが現れる。その形状は白色の第１バッキング４１ｊの判別形状５１ｊと係合する関係となり、白色の第１バッキング４１ｊを取り付けることができる。しかし、黒色の第１バッキング４１ｋは、判別形状５１ｋが干渉し取り付けることができない。
【００７４】
一方、図２０（ｂ）では、黒色の第２バッキング４１ｋの取り付け時は、第３の溝部４９に規制部材１４４の干渉形状５０ｋが現れる。その形状は黒色の第１バッキング４１kの判別形状５１ｋと係合する関係であり、黒色の第１バッキング４１ｋのみを取り付けることができる。
【００７５】
以上説明した構成により、測色センサ２１にて第１バッキング４１ｊおよび４１ｋの有無を確認することで、第２バッキング４１ｈおよび４１ｉの取り付け忘れを確認することができる。
【００７６】
さらに、複数色のバッキングを混在して取り付けられないため、測色センサ２１にて第１バッキング４１ｊおよび４１ｋを確認すれば、第２バッキング４１ｈおよび４１ｉも同一の色であることを確認することができる。よって、バッキングの取り付け忘れに必要となる時間を短縮することができ、さらに複数の色のバッキングを混在して取り付けられることを防止することができる。
【００７７】
以上、インクジェット記録装置に用いられる場合について説明したが、本発明はインクジェット記録装置に用いられるものに限定されず、電子写真方式、サーマル方式、その他の種々の記録方式によりカラー記録を行う記録装置に適用することができる。
【符号の説明】
【００７８】
１  インクジェット記録装置
１４  排紙ガイド
２０  測色装置
２１  測色センサ
４１  バッキング
【図１】
2013205066.tif 000003
【図２】
2013205066.tif 000004
【図３】
2013205066.tif 000005
【図４】
2013205066.tif 000006
【図５】
2013205066.tif 000007
【図６】
2013205066.tif 000008
【図７】
2013205066.tif 000009
【図８】
2013205066.tif 000010
【図９】
2013205066.tif 000011
【図１０】
2013205066.tif 000012
【図１１】
2013205066.tif 000013
【図１２】
2013205066.tif 000014
【図１３】
2013205066.tif 000015
【図１４】
2013205066.tif 000016
【図１５】
2013205066.tif 000017
【図１６】
2013205066.tif 000018
【図１７】
2013205066.tif 000019
【図１８】
2013205066.tif 000020
【図１９】
2013205066.tif 000021
【図２０】
2013205066.tif 000022